(57)【要約】【課題】ユーザが操作部上から選択した解像度や紙サイズやカラー／白黒出力などの各種設定内容が、操作中のマルチファンクションペリフェラル（ＭＦＰ）から出力できない場合に、ネットワーク上に接続された別なＭＦＰの中から出力可能なものを自動的に選択することを目的とした。【解決手段】画像を読み取る為の読取り手段と、前記読取り手段の各種設定を行う為の読取り設定手段とを有するネットワーク接続された複数台のマルチファンクションペリフェラル装置において、前記読取り設定手段で設定された条件に応じてネットワーク上の前記マルチファンクションペリフェラル装置を選択する選択手段を有し、前記選択手段で選択したマルチファンクションペリフェラル装置から前記読み取り画像を出力することで、ユーザが操作部上から選択した解像度や紙サイズやカラー／白黒出力設定などの各種設定内容に応じた最適なＭＦＰから出力を可能とした。【選択図】　　　　図１
2004040142.tif 000002
【特許請求の範囲】
【請求項１】
画像を読み取る為の読取り手段と、前記読取り手段の各種設定を行う為の読取り設定手段とを有するネットワーク接続された複数台のマルチファンクションペリフェラル装置において、前記読取り設定手段で設定された条件に応じてネットワーク上の前記マルチファンクションペリフェラル装置を選択する為の選択手段を有し、前記選択手段で選択したマルチファンクションペリフェラル装置から前記読み取り画像を出力することを特徴とする画像処理システム。
【請求項２】
画像を読み取る為の読取り手段と、前記読取り手段の各種設定を行う為の読取り設定手段とを有するネットワーク接続された複数台のマルチファンクションペリフェラル装置において、前記読取り設定手段で設定された条件に応じてネットワーク上の前記マルチファンクションペリフェラル装置を選択する選択手段と、前記選択手段で選択したマルチファンクションペリフェラル装置が必要なプログラムをネットワークを介して受信する為の受信手段とを有し、前記読取り画像を受信したプログラムで処理した後、マルチファンクションペリフェラル装置から出力することを特徴とする画像処理システム。
【請求項３】
画像を読み取る為の読取り手段と、前記読取り手段の各種設定を行う為の読取り設定手段とを有するネットワーク接続された複数台のマルチファンクションペリフェラル装置において、前記読取り設定手段で設定された条件に応じてネットワーク上の前記マルチファンクションペリフェラル装置を複数台選択する選択手段と、前記選択手段で選択したマルチファンクションペリフェラル装置の中に使用不可能な状態のものがある場合は、操作部上にその状態を表示することを特徴とする画像処理システム。
【発明の詳細な説明】
【０００１】
【発明の属する技術分野】
本発明は、ネットワークに接続されるマルチファンクションペリフェラル（以下、ＭＦＰ）システムに関する物である。
【０００２】
【従来の技術】
従来からＦＡＸの機能やプリンターの機能やコピーの機能などを兼ね備えたＭＦＰが提案されている。これは、１台の装置で複数の機能を兼ね備えることで、小スペース高生産性を誇っている。
【０００３】
また、プリンター機能に関して言えば、パーソナルなプリンターとしてではなく、ネットワークプリンターとして使えるようにネットワーク接続も可能な構成となっている。
【０００４】
その為、ネットワーク上に様々なＭＦＰが接続された使い方がされるようになってきた。
【０００５】
また、ネットワークプリンター以外にもインターネットＦＡＸなどが提案されてきた。
【０００６】
【発明が解決しようとする課題】
ところが、様々なＭＦＰがネットワーク上に接続されているにも関わらず、コピー機能に関しては、ローカルなＭＦＰにしかプリントアウト出来ない構成が多かった。
【０００７】
ネットワークを介したリモートコピーも技術的には可能だが、操作部上でユーザーが設定した解像度や紙サイズやカラー／白黒選択結果を必ずしも、受け手のＭＦＰで出力できる保証ができない問題点があった。
【０００８】
もし、リモート先のＭＦＰで出力したい場合は、予め、出力先の解像度や選択可能な紙サイズなどをユーザーが知っておく必要があった。
【０００９】
【課題を解決するための手段】
本発明は上述の問題点を解決する為に提案されたものであり、その目的とするところは、ユーザが操作部上から選択した解像度や紙サイズやカラー／白黒出力設定などの各種設定値に応じて、最適なＭＦＰを自動的に選択する構成にすることである。
【００１０】
これにより、ユーザーフレンドリーなリモートコピーを実現することが可能となる。
【００１１】
詳しくは、画像を読み取る為の読取り手段と、前記読取り手段の各種設定を行う為の読取り設定手段とを有するネットワーク接続された複数台のマルチファンクションペリフェラル装置において、前記読取り設定手段で設定された条件に応じてネットワーク上の前記マルチファンクションペリフェラル装置を選択する為の選択手段を有し、前記選択手段で選択したマルチファンクションペリフェラル装置から前記読み取り画像を出力することを特徴とする画像処理システムで実現した。
【００１２】
【発明の実施の形態】
（実施形態１）
以下、図面を参照して本発明の実施形態を説明する。
【００１３】
図２は、ネットワークに接続されるＭＦＰのシステムを示している。
【００１４】
２０１は、ネットワーク接続されるＭＦＰ、２０２は、ホストコンピュータ、２０３は、ローカルエリアネットワーク（以下、ＬＡＮ）である。
【００１５】
図３は、ＭＰＦ２０１の構成を示す。
【００１６】
３０１ＣＰＵ、３０２ＲＯＭ、３０３ＲＡＭ、３０４ＨＤ、３０５ビデオ入力Ｉ／Ｆ、３０６ビデオ出力Ｉ／Ｆ、３０７画像処理部、３０８スキャナ、３０９プリンタ、３１０ＵＩ、３１１ＦＡＸボード、３１２公衆回線（以下、ＰＳＴＮ）、３１３ネットワークインターフェースカード（以下ＮＩＣ）、３１４圧縮伸張回路（以下、圧伸）、３１５ＰＣＩ／Ｆ、３１６ＰＣケーブルである。
【００１７】
図４は、ＭＦＰ２０１の制御ソフト構造を示している。
【００１８】
４０１は、ＭＦＰ２０１のアプリケーションプログラムで、コピー、ＦＡＸ、スキャン、プリント等のアプリケーションプログラム郡が位置するブロック、４０２は、アプリケーションプログラムインターフェース（以下、ＡＰＩ）で、アプリケーションとジョブ制御のインターフェース、４０３は、ジョブ制御で、コピー、ＦＡＸ、スキャン、プリント等のジョブを制御するプログラム郡が位置するブロック、４０４は、デバイスドライバインターフェースで、ジョブ制御とデバイスドライバのインターフェース、４０５は、デバイスドライバプログラムで、デバイスを制御するプログラム郡が位置する４１３は、デバイスドライバプログラムで制御されるデバイス郡である。
【００１９】
スキャナドライバ４０６は、スキャナ４１３、プリンタドライバ４０７は、プリンタ３０９、画像処理ドライバ４０８は、画像処理３０７、ＦＡＸドライバ４０９は、ＦＡＸボード３１１、ＵＩドライバ４１０は、ＵＩ３１０、Ｎ／Ｗドライバ４１２は、Ｎ／Ｗカード３１３、をそれぞれ制御する。
【００２０】
図５は、ＭＦＰ２０１のコピー処理のフローを示している。
【００２１】
３１０ＵＩで、コピーの操作が行われると（Ｓ５０１）、３０８スキャナが、フィーダに載っている原稿をスキャンし、電子データに変換し（Ｓ５０２）、３０７画像処理、３０５ビデオ入力Ｉ／Ｆを介して３０８スキャナのデータ転送速度に同期して、３０３ＲＡＭに記憶ながら、３０３ＲＡＭから３０６ビデオ出力Ｉ／Ｆ、３０７画像処理を介して、３０９プリンタに、プリント速度に同期して送り、プリントし（Ｓ５０３）、コピーが終了する。
【００２２】
図６は、スキャン処理のフローを示している。
【００２３】
外部ＰＣ（記載せず）から３１６ＰＣケーブルを介して、スキャン命令が受信されると（Ｓ６０１）、３０８スキャナが、フィーダに載っている原稿をスキャンし、電子データに変換し（Ｓ６０２）、３０７画像処理、３０５ビデオ入力Ｉ／Ｆを介して、３０８スキャナからのデータ転送速度に同期して、３０３ＲＡＭに記憶し（Ｓ６０３）、３０３ＲＡＭの原稿データを３１４圧／伸で、圧縮し（Ｓ６０４）、３０４ＨＤに記憶する（Ｓ６０５）。
【００２４】
３０８スキャナが、フィーダに載っている全原稿が、３０４ＨＤに取り込みが終了すると（Ｓ６０６）、３０４ＨＤからスキャンデータを取り出し、３１５ＰＣＩ／Ｆで３１６ＰＣケーブルを介して、外部ＰＣ（記載せず）に転送し（Ｓ６０７）、スキャンの送信が終了する。
【００２５】
図７は、ネットワークプリント処理のフローを示している。
【００２６】
外部ＰＣ（記載せず）からプリントの操作が行われると、２０３ネットワークから３１３ＮＩＣでＰＤＬデータを受信し（Ｓ７０１）、データを３０４ＨＤに記憶する（Ｓ７０２）、受信の全データの３０４ＨＤ取り込みが終了すると（Ｓ７０３）、３０１ＣＰＵ、３０３ＲＡＭで、ＰＤＬデータを展開し（Ｓ７０４）、３１４圧／伸で圧縮し（Ｓ７０５）、３０４ＨＤに記憶する（Ｓ７０６）。
【００２７】
展開したＰＤＬの全データの３０４ＨＤ取り込みが終了すると（Ｓ７０７）、３０４ＨＤから圧縮データを読み出し、３１４圧／伸で伸張し（Ｓ７０８）、３０３ＲＡＭに書き込み（Ｓ７０９）、３０６ビデオ出力Ｉ／Ｆ、３０７画像処理を介して、３０９プリンタの速度に同期して、３０９プリンタに出力し（Ｓ７１０）、ネットワークプリントが終了する。
【００２８】
図８は、Ｆａｘのメモリ送信処理のフローを示している。
【００２９】
３１０ＵＩでＦａｘ送信の操作が行われると（Ｓ８０１）、３０８スキャナが、フィーダに載っている原稿をスキャンし、電子データに変換し（Ｓ８０２）、３０８スキャナからのデータ転送速度に同期して、３０７画像処理、３０５ビデオ入力Ｉ／Ｆを介して、３０３ＲＡＭに記憶し（Ｓ８０３）、３０３ＲＡＭの原稿データ，∂３１４圧／伸で、圧縮し（Ｓ８０４）、３０４ＨＤに記憶する（Ｓ８０５）。
【００３０】
３０８スキャナが、フィーダに載っている全原稿が、３０４ＨＤに取り込みが終了すると（Ｓ８０６）、３０４ＨＤからスキャン原稿を取り出し、３１１Ｆａｘボードで、３１２ＰＳＴＮに送出し（Ｓ８０７）、Ｆａｘのメモリ送信が終了する。
【００３１】
図９は、Ｆａｘのメモリ受信処理のフローを示している。
【００３２】
３１２ＰＳＴＮを介して、３１１Ｆａｘボードで、外部Ｆａｘ（記載せず）からの受信が開始すると（Ｓ９０１）、受信データを３０４ＨＤに、受記憶する（Ｓ９０２）。
【００３３】
受信の全データの３０４ＨＤ取り込みが終了すると（Ｓ９０３）、３０４ＨＤから受信データを読み出し、３１４圧／伸で、伸張し（Ｓ９０４）、３０３ＲＡＭに書き込み（Ｓ９０５）、３０６ビデオ出力Ｉ／Ｆ、３０７画像処理を介して、３０９プリンタのプリント速度に同期して、３０９プリンタに出力し（Ｓ９０６）、Ｆａｘ受信終了する。
【００３４】
本特許のポイントに関わるネットワークコピー処理について説明する。
【００３５】
まずはじめに送信処理について図１０を用いて説明する。
【００３６】
３１０ＵＩで、コピーの操作が行われると（Ｓ１００１）、３０８スキャナが、フィーダに載っている原稿をスキャンし、電子データに変換し（Ｓ１００２）、それを３０３ＲＡＭに記憶し（Ｓ１００３）、３０５，３０６ビデオ入出力Ｉ／Ｆ、及び３０７画像処理を介して、原稿データを３１４圧／伸で圧縮し（Ｓ１００４）、３０４ＨＤに記憶する（Ｓ１００５）。３０８スキャナが、フィーダに載っている全原稿を３０４ＨＤに取り込むと（Ｓ１００６）、３０４ＨＤからスキャンデータを取り出し、３１３ＮＩＣでネットワークを介して、外部にある別なＭＦＰに原稿データを転送（Ｓ１００７）する。
【００３７】
転送されたデータは、後述する本特許のポイントである自動ＭＦＰ選択手段によって選ばれたＭＦＰから出力されることになる。
【００３８】
本特許のポイントを説明する前に受信処理について図１１を用いて説明する。
【００３９】
ネットワークを介してデータを受けた外部のＭＦＰは、データを３１３ＮＩＣ経由で受信しながら（Ｓ１１０１）、３０４ＨＤに記憶する（Ｓ１１０２）。受信の全データを３０４ＨＤに取り込み終了すると（Ｓ１１０３）、３０４ＨＤから受信データを読み出し、３１４圧／伸で伸張し（Ｓ１１０４）、３０３ＲＡＭに書き込み（Ｓ１１０５）、３０６ビデオ出力Ｉ／Ｆ、３０７画像処理を介して、３０９プリンタのプリント速度に同期して、３０９プリンタに出力し（Ｓ１１０６）、リモートコピーを終了する。
【００４０】
それでは、次に本特許のポイントである自動ＭＦＰ選択手段について図１Ａ、図１Ｂを用いて説明する。
【００４１】
自動ＭＦＰ選択手段とは、ユーザーが原稿読取り時に設定した各種設定を実現できる最適なＭＦＰをネットワーク上から自動的に選択して出力することである。
【００４２】
この各種設定とは、ユーザーが操作部上（３１０ＵＩ）から設定した内容のことである。
【００４３】
その３１０ＵＩの一例の一部を図１Ｂに示した。ここでは、本特許にかかわる機能だけを説明して、それ以外の機能については説明を省略する。
【００４４】
Ｂ１０１，Ｂ１０２，Ｂ１０３は、原稿を読み取る際に指定する画像モードである。Ｂ１０１が文字モードで、濃度のガンマカーブを立て、かつ、フィルターで強めのエッジ強調をかけることにより文字を鮮明にしている。Ｂ１０３は、写真モードで、濃度のガンマカーブをリニアにし、かつ、フィルターでスムージングをかけることにより印刷原稿を読み取った際にモアレが発生しないようにしている。Ｂ１０２は、上記の中間的なモードで、ガンマカーブを若干立て、かつ、フィルタで軽いエッジ強調をすることで、文字原稿と印刷原稿との画質を両立させている。
【００４５】
また、Ｂ１０４，Ｂ１０５，Ｂ１０６は、出力プリンターの解像度を選択する為ものである。
【００４６】
図１Ｂに示した通り、Ｂ１０４を選択した場合は１５０ｄｐｉで出力し、Ｂ１０５を選択した場合は３００ｄｐｉで出力し、Ｂ１０６を選択した場合は６００ｄｐｉで出力することになる。
【００４７】
この選択手段により出力解像度を選択した際に、読み取り解像度も同時に変えても何ら問題ない。むしろ、例えば、６００ｄｐｉで読み取ったものをＢ１０４で１５０ｄｐｉを選択すると、読取り原稿を２５％縮小して１５０ｄｐｉにした後に画像転送する必要が発生する。縮小法に関しては、特に説明しないが１次補間によるものやスプライン補間によるものなどがあり、特に限定はしない。
【００４８】
最後にＢ１０７についてだが、これは、出力用紙サイズを選択する為のものであり、ネットワーク上のＭＦＰで出力する際の紙サイズを、ここで選択することになる。
【００４９】
以上説明したように３１０ＵＩで選択した設定内容で、ネットワーク上のＭＦＰに画像データを転送することになる。このとき、本特許のポイントは、設定された内容を実現できる最適なＭＦＰを自動的に選択して、そのＭＦＰに出力することである。
【００５０】
その説明を図１Ａを用いて説明する。
【００５１】
この構成は、リング上にＬＡＮが形成されており、その中に、Ａ１０１からＡ１０５に示したＭＦＰ１，ＭＦＰ２，ＭＦＰ３，ＭＦＰ４，ＭＦＰ５と、Ａ１０６サーバが接続されている。
【００５２】
また、各ＭＦＰの横に記載された“Ａ４，４００ｄｐｉ”や“Ａ４Ｒ，６００ｄｐｉ”は、そのＭＦＰで出力可能か紙サイズ及び最大解像度を表している。無論、複数の紙サイズが選べるのが通常だが、本実施形態では、説明を簡単にする為に、１種類の紙サイズのみを書いてある。
【００５３】
以下、説明を続ける。
【００５４】
例えば、Ａ１０１ＭＦＰ１上のＵＩからの読み取り原稿を、Ａ４Ｒの用紙で６００ｄｐｉで出力したい場合があったとする。その時は、ネットワーク上のＭＦＰの中から、その設定が実現でき、かつ、原稿を読み取ったＭＦＰ１から最短距離にあるＭＦＰを選択して出力する処理になる。この例の場合は、Ａ１０２に示したＭＦＰ２であり、Ａ１０７のようになる。
【００５５】
同様にＡ１０１ＭＦＰ１上のＵＩからの読み取り原稿を、Ａ３の用紙で６００ｄｐｉで出力したい場合があったとする。その時は、上記と同じ考えでＡ１０８のようになる。
【００５６】
無論、原稿を読み取ったＭＦＰ１で出力可能な設定がされた場合は、同じＭＦＰ１に出力することになる。
【００５７】
図示はしていないが、リモートコピー終了時に、どこのＭＦＰに出力されたかは、３１０ＵＩ上に表示される構成となっている。これにより、ユーザーがどこのＭＦＰに出力されたか分かる構成としてある。
【００５８】
ここで、最短距離にどのＭＦＰがあるか、また、ネットワーク上の各ＭＦＰがどのような機能を有するかの情報は、予め各ＭＦＰの設置時に設定されているものとする。
【００５９】
或いは、Ａ１０６サーバーから、これらの情報を得ても実現できる。
【００６０】
ところで、上述したように原稿を読み取ったＭＦＰから最短距離にあるＭＦＰを自動的に選択する構成のみでなく、３１０ＵＩで設定した内容が実現できるネットワーク上のＭＦＰすべてをＵＩ（操作部上）に表示させ、その中からユーザーが選べる構成にすることも可能なことは言うまでもない。
【００６１】
さらに、複数のＭＦＰで出力可能であっても、“紙づまり”や“トナーなし”や“別のユーザによって使用中”や“故障中”のＭＦＰがあった場合は、そのＭＦＰは選択しない構成にしたり、操作部上で薄く表示し、ユーザーに使用できないことを促すことで、より使い勝手の良いＭＦＰシステムになることも言うまでもない。
【００６２】
その例を図１２に示した。１２０１が使用可能なＭＦＰを示しており、１２０２，１２０３が使用できないＭＦＰを示してある。１２０１以外は薄く表示して選択できない構成としてある。
【００６３】
以上説明した構成により、ユーザーが設定した各種設定値に応じて、ネットワーク上の最適なＭＦＰを自動的に選択する。そして、前述したリモートコピー処理をおこなうことで、ユーザーフレンドリーなＭＦＰシステムを実現した。
【００６４】
（実施形態２）
第２の実施形態における基本的な装置構成で上述した第１の実施形態と同様な部分は、同一番号を付け説明を省略する。
【００６５】
前述した実施形態１では、３１０ＵＩ上で設定された内容が実現できる最適なＭＦＰ装置を選択するシステムについて述べた。
【００６６】
ここでは、選択されたＭＦＰに必要な画像処理パラメータをネットワーク上から得るシステムについて説明する。
【００６７】
実施形態２における画像処理パラメータとは、ＰＤＬ言語を指している。例えば、ＰＳとかＰＣＬとかＬＩＰＳなどである。
【００６８】
図１に示した各種のＭＦＰｌ〜ＭＦＰ５は、それぞれ決まったＰＤＬに対応した装置である。例えば、１０１ＭＦＰ１と１０３ＭＦＰ３はＰＳ、１０２ＭＦＰ２と１０５ＭＦＰ５はＬＩＰＳ、１０ＭＦＰ４はＰＣＬといった具合である。
【００６９】
このようにそれぞれ異なったＰＤＬに対応したＭＦＰがネットワーク上に接続されていると、リモートコピーをＰＤＬ言語でおこなう場合、送受信側で対応できるＰＤＬ言語が異なる為に送信できないＭＦＰの組み合わせが出てくることがあった。
【００７０】
そこで、実施形態２では、サーバーから必要なＰＤＬ言語処理プログラムを自動的にダウンロードしてきて、ソフト処理によるＰＤＬ処理をおこなうことを特徴とした。
【００７１】
例えば、リモートコピー処理において、１０１ＭＦＰ１がＰＳで画像データを１０２ＭＦＰ２に送信した場合、１０２ＭＦＰ２はＬＩＰＳにしか対応してなく、ＰＳデータを解読することができなかった。そこで、１０２ＭＦＰ２が、１０６サーバーから必要なＰＳ処理プログラムをダウンロードしてきて、ＰＳデータを解読可能状態になることで１０１ＭＦＰ１と１０２ＭＦＰ２間のリモートコピーが可能となる。
【００７２】
同様に、１０１ＭＦＰ１がＰＳでＰＣＬにしか対応していない１０４ＭＦＰ４にデータをリモートコピーで送信した場合でも、１０４ＭＦＰ４が１０６サーバーから必要なＰＳ処理プログラムをダウンロードすることで、処理可能となる。
【００７３】
このように、様々なＰＤＬ言語処理プログラムをネットワーク上のサーバーに登録しておき、必要に応じて各ＭＦＰが処理プログラムをダウンロードして、ソフト処理することで、様々なＭＦＰの組み合わせでリモートコピーが可能となる。
【００７４】
上述では、リモートコピーの受け手側が、必要な処理プログラムをサーバーからダウンロードする構成について説明したが、本特許はこれに限定するものではなく、送信側が受けて側に合わせて、必要な処理プログラムをダウンロードして、受け手側に合わせたＰＤＬ言語に処理した後に、送信することも可能であることは言うまでもない。
【００７５】
このとき、送受信各々のＭＦＰのＣＰＵパワー（処理能力）に応じて、パワーのある側でソフト処理させた方が処理時間が短くなることも言うまでもない。
【００７６】
また、ＰＳに対応したＭＦＰ間でも、機種毎に異なるＰｏｓｔＳｃｒｉｐｔ　Ｐｒｉｎｔｅｒ　Ｄｅｓｃｒｉｐｔｉｏｎ（以下ＰＰＤと呼ぶ）ファイルが必要になることがある。そのような場合でも、上述した構成と同様にリモートコピー時に必要に応じて、１０６サーバーに登録しておいたＰＰＤファイルをダウンロードして処理することで、様々なＰＳ対応ＭＦＰ間でリモートコピーをおこなうことが可能となる。
【００７７】
ところで、ＰＳ，ＰＳＬ，ＰＣＬの言語にしかついて述べていないが、本特許はこれに限定したものではなく、他の言語に対しても同様な処理で対応可能なことは言うまでもない。
【００７８】
【発明の効果】
以上説明してきたように、ネットワーク接続された複数台のマルチファンクションペリフェラル（ＭＦＰ）装置でリモートコピー処理をおこなうにあたって、読取り設定で設定された条件に応じたネットワーク上の最適なＭＦＰ装置を選択することで、原稿を読み取ったＭＦＰに必要な紙サイズや解像度で出力できなかった場合でも、ネットワーク上の別なＭＦＰから出力可能となり、ユーザーの意図する処理が実現できるシステムを提供することが可能となる。
【図面の簡単な説明】
【図１】Ａは本発明の特徴を示す構成図。Ｂは実施形態１の特徴を示す操作部の説明図。
【図２】ネットワーク接続されたＭＦＰを示す図。
【図３】ＭＦＰ全体の構成を示すブロック図。
【図４】ＭＦＰの制御ソフト構造を示す図。
【図５】ＭＦＰのコピー処理のフローを示す図。
【図６】ＭＦＰのスキャン処理のフローを示す図。
【図７】ＭＦＰのネットワークプリント処理のフローを示す図。
【図８】ＭＦＰのＦＡＸのメモリ送信処理のフローを示す図。
【図９】ＭＦＰのＦＡＸのメモリ受信処理のフローを示す図。
【図１０】ＭＦＰのリモートコピーの送信処理のフローを示す図。
【図１１】ＭＦＰのリモートコピーの受信処理のフローを示す図。
【図１２】実施形態１で用いた特徴を示す操作部の説明図。
【図１】
2004040142.tif 000003
【図２】
2004040142.tif 000004
【図３】
2004040142.tif 000005
【図４】
2004040142.tif 000006
【図５】
2004040142.tif 000007
【図６】
2004040142.tif 000008
【図７】
2004040142.tif 000009
【図８】
2004040142.tif 000010
【図９】
2004040142.tif 000011
【図１０】
2004040142.tif 000012
【図１１】
2004040142.tif 000013
【図１２】
2004040142.tif 000014